(57)【特許請求の範囲】
【請求項１】
バルコニーの壁体に開設された排水孔を貫通可能な円筒部と、前記円筒部を前記壁体に係止するため前記円筒部の入水口の外周に形成されたフランジ状のストッパと、を有する本体部材と、
前記排水孔から突出する前記円筒部が挿通した状態で取り付けられ前記排水孔周辺の壁体を挟んで前記ストッパと対向するフランジを有する円環状の中間部材と、
前記中間部材を前記ストッパに向かって押圧するため前記円筒部の出水側の外周に係合する円筒状の固定部材と、を備え、
前記円筒部の入水口周縁の仮想接線と平行な仮想直線に沿って前記ストッパの一部を切除した形状の回避部を当該ストッパに設け、
前記回避部に、前記円筒部の軸心と略平行に突出する平板状の導水部を設け、
前記本体部材の円筒部を前記中間部材に挿通させたとき、前記本体部材の導水部と略平行に対向する棚状部を前記中間部材のフランジに設け、
前記導水部の上面から前記本体部材の円筒部の内周面に亘る領域に当該円筒部の軸心と平行な凹溝を設けたことを特徴とするバルコニー排水器具。
【発明の詳細な説明】
【技術分野】
【０００１】
本発明は、建築物のバルコニーに降り注いだ雨水などの排水経路を形成するために使用するバルコニー排水器具に関する。
【背景技術】
【０００２】
バルコニーの排水経路を形成するための器具、装置などは、従来、様々なものが提案されているが、本願に関連するものとして、例えば、特許文献１記載の「ドレン装置」がある。この「ドレン装置」は、ベランダ側壁の下端部に水平方向に沿って貫通配置される筒状のドレン本体と、このドレン本体の流入口外周に取り付けられる取付フランジと、を備え、ドレン本体の流入口が扁平な矩形状に形成されている。
【０００３】
【特許文献１】特開平１０−１０２６９７号公報
【発明の開示】
【発明が解決しようとする課題】
【０００４】
特許文献１記載の「ドレン装置」においては、ドレン本体の流入口外周が扁平な矩形状に形成されているため、ベランダ側壁内面と床壁上面との隙間に沿ってドレン本体の流入口を配置することができる。しかしながら、施工現場において、ドレン本体と取付フランジとを完全な水密状態に接合するのは困難であり、接着剤の経年劣化などにより接合部分から漏水する可能性があり、耐久性に不安がある。
【０００５】
また、ドレン本体の下流側に円筒状の排水管などを接続する場合、ドレン本体の流出口を円筒状にする必要があるため、ドレン本体は、扁平な矩形状の流入口と、円筒状の流出口とを有する特殊な形状とならざるを得ず（特許文献１の図３参照）、製造工程が複雑となる。
【０００６】
さらに、特許文献１の図２に記載されているように、ドレン本体の形状は下流側に向かって拡径したテーパ形状であるため、ベランダ側壁の排水孔に貫通設置する場合、下流側から前記排水孔に挿入しなければならない。このため、施工後、接合部分の経年劣化などにより、取付フランジがドレン本体から外れると、ドレン本体が下流側にズレたり、排水孔から離脱するおそれがある。
【０００７】
本発明が解決しようとする課題は、施工が容易であり、優れた排水機能および耐久性を発揮するバルコニー排水器具を提供することにある。
【課題を解決するための手段】
【０００８】
本発明のバルコニー排水器具は、
バルコニーの壁体に開設された排水孔を貫通可能な円筒部と、前記円筒部を前記壁体に係止するため前記円筒部の入水口の外周に形成されたフランジ状のストッパと、を有する本体部材と、
前記排水孔から突出する前記円筒部が挿通した状態で取り付けられ前記排水孔周辺の壁体を挟んで前記ストッパと対向するフランジを有する円環状の中間部材と、
前記中間部材を前記ストッパに向かって押圧するため前記円筒部の出水側の外周に係合する円筒状の固定部材と、を備え、
前記円筒部の入水口周縁の仮想接線と平行な仮想直線に沿って前記ストッパの一部を切除した形状の回避部を当該ストッパに設け、
前記回避部に、前記円筒部の軸心と略平行に突出する平板状の導水部を設け、
前記本体部材の円筒部を前記中間部材に挿通させたとき、前記本体部材の導水部と略平行に対向する棚状部を前記中間部材のフランジに設け、
前記導水部の上面から前記本体部材の円筒部の内周面に亘る領域に当該円筒部の軸心と平行な凹溝を設けたことを特徴とする。
【０００９】
このような構成とすれば、本体部材の円筒部を、バルコニーの壁体に開設された排水孔の上流側から貫通状態に挿入し、排水孔の下流側から突出する円筒部の外周に中間部材を取り付け、当該円筒部の外周に固定部材を係合させ、中間部材をストッパに向かって押圧するだけで、バルコニー排水器具を排水孔に固定することができるため、施工が容易である。また、施工の際に接着剤などの接合手段は不要であり、上流側から排水孔に挿入された本体部材はストッパにより壁体に係止されるとともに、当該ストッパと中間部材のフランジとの間に壁体を挟持した状態で固定されるため、経年劣化などに起因する漏水が発生せず、耐久性も優れている。
【００１０】
また、本体部材のストッパに設けられた回避部を、バルコニーの排水溝の底面に向かって配置することにより、本体部材の円筒部の内周面の最下部を排水溝底面と同じ高さに近接することができるため、排水溝の底面に沿って流下する雨水などは円筒部の入水口に速やかに流入し、優れた排水機能を発揮する。さらに、排水溝の底面と入水口との高低差に起因する雨水の滞留も発生し難くなる。
【００１１】
ここで、前記回避部に、前記円筒部の軸心と略平行に突出する平板状の導水部を設けたことにより、排水溝の底面に沿って流下する雨水などをさらに効率良く円筒部の入水口に流入させることができる。
【００１２】
また、前記導水部の上面から前記本体部材の円筒部の内周面に亘る領域に当該円筒部の軸心と平行な凹溝を設けたことにより、凹溝の底面が排水溝の底面の高さに近づくため、排水溝の底面と入水口の内周最下面との高低差に起因する雨水の滞留を殆ど無くすことができる。
【００１３】
一方、前記本体部材の円筒部を前記中間部材に挿通させたとき、前記本体部材の導水部と略平行に対向する棚状部を前記中間部材のフランジに設けたことにより、バルコニーの排水溝の底面を構成する部材を、本体部材の導水部と中間部材の棚状部との間に挟持することが可能となる。このため、排水孔に対するバルコニー排水器具の固定状態が向上し、耐久性もさらに高まる。
【発明の効果】
【００１４】
本発明により、施工が容易であり、優れた排水機能および耐久性を発揮するバルコニー排水器具を提供することができる。
【発明を実施するための最良の形態】
【００１５】
以下、図面に基づいて本発明の実施の形態について説明する。図１は本発明の実施の形態であるバルコニー排水器具を使用したバルコニー示す垂直断面図、図２は図１のＡ−Ａ線における断面図、図３は図１の一部拡大図、図４は図１に示すバルコニー排水器具を流入側から見た斜視図、図５は図４に示すバルコニー排水器具を流出側から見た斜視図、図６は図３のＢ−Ｂ線における断面図である。また、図７は図４に示すバルコニー排水器具の分解斜視図、図８は図５に示すバルコニー排水器具の分解斜視図である。
【００１６】
図１，図２に示すように、バルコニー１０においては、建築物の躯体１１上に、下地材１２を傾斜状に敷設し、この下地材１２を非透水性の表面材１３で被覆することによって床面１４が形成されている。バルコニー１０に降り注いだ雨水Ｗなどを流すため、床面１４は、その前縁部１４ａに向かって下り勾配をなしている。また、前縁部１４ａから流下する雨水などを排水経路３０へ流し込むため、前縁部１４ａとパラペット１７との間に排水溝１６が設けられている。
【００１７】
排水経路３０は、排水溝１６下流端に位置する壁体１８を構成する平板状の壁材１８ｗに開設された排水孔１５（図７参照）に、バルコニー排水器具２０を取り付け、その流出側に排水管２５を接続することによって形成されている。なお、本実施形態では、壁材１８ｗに開設された排水孔１５にバルコニー排水器具２０を取り付けているが、これに限定するものではないので、壁材１８ｗに相当する他の部材、例えば、防水層あるいは金属内樋などに排水孔１５を開設してバルコニー排水器具２０を取り付けることもできる。
【００１８】
図４〜図８に示すように、バルコニー排水器具２０は、本体部材２１と、中間部材２２と、固定部材２３と、を備えている。本体部材２１は、排水孔１５を貫通可能な円筒部２１ａと、円筒部２１ａを壁材１８ｗに係止するため円筒部２１ａの入水口２１ｂの外周に形成されたフランジ状のストッパ２１ｃと、を有し、円筒部２１ａの外周に雄ねじ部２１ｄが形成されている。中間部材２２は、排水孔１５から突出する円筒部２１ａが挿通された状態で出水側の外周に取り付けられる略円環状の部材であり、円筒部２１ａが挿通可能な内径の短管部２２ａと、排水孔１５周辺の壁材１８ｗを挟んでストッパ２１ｃと対向するように短管部２２ａの片方の開口部の外周に形成されたフランジ２２ｂと、を有している。
【００１９】
固定部材２３は、中間部材２２をストッパ２１ｃに向かって押圧するために円筒部２１ａの出水側の外周に係合される円筒状の部材であり、本体部材２１の円筒部２１ａ外周の雄ねじ部２１ｄに螺合可能な雌ねじ部２３ａが固定部材２３の内周に形成されている。また、固定部材２３を円筒部２１ａ外周に螺着する際の回転作業をし易くするため、滑り止め用の複数の突条２３ｂが固定部材２３の外周に設けられている。さらに、固定部材２３の内周面の軸心Ｃ方向の中央付近には、軸心Ｃに向かって突出したリブ２３ｃが周方向に沿って形成されている。
【００２０】
図３に示すように、本体部材２１の円筒部２１ａの入水口２１ｂ周縁の仮想接線Ｄと平行な仮想直線Ｅに沿ってストッパ２１ｃの外周の一部を切除した形状の回避部２１ｅを当該ストッパ２１ｃに設けている。従って、図３に示すように、本体部材２１の正面視形状は、円形のフランジ状のストッパ２１ｃの弓状領域２１ｆを切除した形状となっている。また、図４，図６及び図７に示すように、回避部２１ｅに、円筒部２１ａの軸心Ｃと略平行をなし、円筒部２１ａと反対方向に突出する平板状の導水部２１ｇが設けられている。さらに、導水部２１ｇの上面から本体部材２１の円筒部２１ａの内周面に亘る領域に当該円筒部２１ａの軸心Ｃと平行な凹溝２１ｈが設けられている。
【００２１】
図６，図７に示すように、本体部材２１の円筒部２１ａを中間部材２２に挿通させたとき、本体部材２１の導水部２１ｇと略平行に対向する棚状部２２ｃを中間部材２２のフランジ２２ｂの一部に設けている。本実施形態においては、図６に示すように、本体部材２１の導水部２１ｇと中間部材２２の棚状部２２ｃとの間に、排水溝１６の底板１６ａを挟持した状態で、導水部２１ｇと棚状部２２ｃとが対向している。
【００２２】
ここで、バルコニー排水器具２０の施工手順について説明する。図７，図８に示すように、本体部材２１の円筒部２１ａを、壁材１８ｗに開設された排水孔１５の上流側から貫通状態に挿入し、排水孔１５の下流側から突出する円筒部２１ａの外周に、略円環状の中間部材２２を取り付ける。そして、円筒部２１ａ外周の雄ねじ部２１ｄに固定部材２３内周の雌ねじ部２３ａを螺合させ、固定部材２３を回転させて締め付けていくと、固定部材２３の上流側端部２３ｅにより中間部材２２の短管部２２ａが上流側へ押圧され、やがて中間部材２２のフランジ２２ｂ全体が、壁材１８ｗを介して、本体部材２１のストッパ２１ｃに向かって押圧された状態で固定される。このように、接着剤などの接合手段を使用することなく、簡単な手順でバルコニー排水器具２０を壁材１８ｗの排水孔１５に固定することができるため、施工も容易である。
【００２３】
また、上流側から排水孔１５に挿入された本体部材２１は排水孔１５の内径より大きな外周を有するストッパ２１ｃにより壁材１８ｗに係止され、この本体部材２１の円筒部２１ａに中間部材２２を取り付けた後、固定部材２３で締め付けることにより、当該ストッパ２１ｃと中間部材２２のフランジ２２ｂとの間に壁材１８ｗを挟持した状態で固定されるため、経年劣化などに起因する漏水が発生せず、耐久性も優れている。
【００２４】
また、図２で示したように、本体部材２１のストッパ２１ｃの外周に設けられた回避部２１ｅを、排水溝１６の底板１６ａに当接させて配置することにより、本体部材２１の円筒部２１ａの内周面の最下部を排水溝１６の底板１６ａ上面と同じ高さに近づけることができる。このため、排水溝１６の底板１６ａ上面に沿って流下する雨水Ｗ（図１参照）などは円筒部２１ａの入水口２１ｂに速やかに流入し、優れた排水機能を発揮する。さらに、排水溝１６の底板１６ａ上面と入水口２１ｂとの高低差に起因する雨水Ｗの滞留も発生し難くなる。
【００２５】
また、回避部２１ｅには、円筒部２１ａの軸心Ｃ（図６参照）と略平行に突出する導水部２１ｇが設けられているため、排水溝１６の底板１６ａ上面に沿って流下する雨水Ｗなどをさらに効率良く円筒部２１ａの入水口２１ｂに流入させることができる。
【００２６】
さらに、導水部２１ｇの上面から本体部材２１の円筒部２１ａの内周面に亘る領域に当該円筒部２１ａの軸心Ｃと平行な凹溝２１ｈを設けたことにより、凹溝２１ｈの底面を排水溝１６の底板１６ａ上面の高さに近づけることができる。このため、排水溝１６の底板１６ａ上面と入水口２１ｂの内周面の最下部との高低差に起因する雨水の滞留が殆ど発生しない。
【００２７】
一方、図６に示すように、本体部材２１の円筒部２１ａを中間部材２２に挿通させたとき、本体部材２１の導水部２１ｇと略平行に対向する棚状部２２ｃを中間部材２２のフランジ２２ｂの外周に設けている。これにより、排水溝１６底部を構成する底板１６ａは、本体部材２１の導水部２１ｇと中間部材２２の棚状部２２ｃとの間に挟持された状態となるため、バルコニー排水器具２０は排水孔１５に対して強固に固定され、耐久性向上に有効である。
【００２８】
図２に示すように、本実施形態においては、バルコニー排水器具２０の固定部材２３の出水側の開口部２３ｄに円筒状の排水管２５が接続され、排水管２５の出水側が壁体１８の外側面１８ａから横方向に突出した状態に配管され、排水管２５の下流側は所定の排水経路に通じている。なお、バルコニー排水器具２０の下流側の配管構造は排水管２５に限定しないので、施工現場の状況に適した任意の配管構造を採用することができる。
【００２９】
ここで、図９，図１０に基づいて、バルコニー排水器具２０の下流側の配管構造に関するその他の実施形態について説明する。図９はその他の実施形態である配管構造を示す水平断面図、図１０は図９の矢線Ｘ方向から見た図である。なお、図９，図１０において図１〜図８と同符号を付している部分はバルコニー排水器具２０の構成部分と同じ構造、機能を有する部分であるため、説明を省略する。
【００３０】
図９に示すように、バルコニー排水器具２０の固定部材２３の出水側の開口部２３ｄに円筒状の排水管２５ｘが接続され、排水管２５ｘの出水側の開口部２５ａが壁体１８の外側面１８ａから横方向に突出した状態に配管されている。壁体１８の外側面１８ａから突出した排水管２５ｘの開口部２５ａには、生物の侵入防止手段を有する略ハット形状の保護キャップ２４が取り付けられている。
【００３１】
図１０に示すように、保護キャップ２４は、排水管２５ｘの開口部２５ａ（図９参照）を覆う円筒状の本体部２４ａと、本体部２４ａの片方の開口端外周に形成された円形のフランジ２４ｂと、本体部２４ａの他方の開口端内周に形成された格子部２４ｃと、を備えている。保護キャップ２４は、格子部２４ｃを外に向け、フランジ２４ｂを壁体１８の外側面１８ａに密着させた状態で、排水管２５ｘの開口部２５ａに取り付けられている。図１０に示すように、格子部２４ｃは、開口部２５ａの開口領域の上方部分に形成され、格子部２４ｃが占める領域は開口部２５ａの下半分よりも広く設定されている。
【００３２】
このような格子部２４ｃを備えた保護キャップ２４を取り付けたことにより、雀や鼠などの鳥獣類あるいは蜂などの昆虫類が開口部２５ａから排水管２５ｘ内へ侵入したり、営巣したりして、排水機能に支障が生じるのを防止することができる。また、保護キャップ２４を取り付けることにより、排水管２５ｘの開口部２５ａが外側面１８ａに露出しなくなるので、外観性、意匠性も向上する。なお、保護キャップ２４は開口部２５ａに着脱可能であるため、排水管２５ｘ内や排水経路３０内に侵入した異物を取り除いたり、メンテナンスしたりする際に便利である。
【産業上の利用可能性】
【００３３】
本発明のバルコニー排水器具は、木造建築物のバルコニーなどの排水経路において広く利用することができる。
【図面の簡単な説明】
【００３４】
【図１】本発明の実施の形態であるバルコニー排水器具を使用したバルコニーを示す垂直断面図である。
【図２】図１のＡ−Ａ線における断面図である。
【図３】図１の一部拡大図である。
【図４】図１に示すバルコニー排水器具を流入側から見た斜視図である。
【図５】図４に示すバルコニー排水器具を流出側から見た斜視図である。
【図６】図３のＢ−Ｂ線における断面図である。
【図７】図４に示すバルコニー排水器具の分解斜視図である。
【図８】図５に示すバルコニー排水器具の分解斜視図である。
【図９】バルコニー排水器具の下流側の配管構造に関するその他の実施形態を示す水平断面図である。
【図１０】図９の矢線Ｘ方向から見た図である。
【符号の説明】
【００３５】
１０  バルコニー
１１  躯体
１２  下地材
１３  表面材
１４  床面
１４ａ  前縁部
１５  排水孔
１６  排水溝
１６ａ  底板
１７  パラペット
１８  壁体
１８ａ  外側面
１８ｗ  壁材
２０  バルコニー排水器具
２１  本体部材
２１ａ  円筒部
２１ｂ  入水口
２１ｃ  ストッパ
２１ｄ  雄ねじ部
２１ｅ  回避部
２１ｆ  弓状領域
２１ｇ  導水部
２１ｈ  凹溝
２２  中間部材
２２ａ  短管部
２２ｂ  フランジ
２２ｃ  棚状部
２３  固定部材
２３ａ  雌ねじ部
２３ｂ  突条
２３ｃ  リブ
２３ｄ  開口部
２３ｅ  上流側端部
２４  保護キャップ
２４ａ  本体部
２４ｂ  フランジ
２４ｃ  格子部
２５，２５ｘ  排水管
２５ａ  開口部
３０  排水経路
Ｄ  仮想接線
Ｅ  仮想直線
Ｗ  雨水
Ｘ  矢線
【図１】
0005036464.tif 000002
【図２】
0005036464.tif 000003
【図３】
0005036464.tif 000004
【図４】
0005036464.tif 000005
【図５】
0005036464.tif 000006
【図６】
0005036464.tif 000007
【図７】
0005036464.tif 000008
【図８】
0005036464.tif 000009
【図９】
0005036464.tif 000010
【図１０】
0005036464.tif 000011